(57)【要約】      （修正有）【課題】防災受信盤が信号回線を介して火災に関する所定の信号を受信した場合とは異なる表示で、信号回線に関する警報表示を表示部に行わせ、表示部の表示状態を見ることで容易に何が起きているかを把握して必要な対処を可能とする、トンネル防災システムを提供する。【解決手段】トンネル防災システムにおいて、防災受信盤１０の制御部４０は、火災に関する所定の信号に基づく火災警報表示、信号回線１２−１１〜１２−１６、１２−２１〜１２−２６の障害を検出した場合の信号回線の障害の警報表示、信号回線に流れる電流値の異常である電流値異常を判定した場合の電流値異常の警報表示、更に、電流値異常の発生が予測される状態を示す電流値異常の予兆を判定した場合の電流値異常の予兆の警報表示で異なる警報表示を行わせる。また、電流値異常又は電流値異常の予兆を判定した場合は、判定に関する詳細情報の表示を合わせて行わせる。【選択図】図６
2020161151.tif 000002
【特許請求の範囲】
【請求項１】
トンネル内に敷設した信号回線によって防災受信盤と接続され、当該信号回線を介して前記防災受信盤へ火災に関する所定の信号を出力する端末機器を備えたトンネル防災システムに於いて、
前記信号回線に流れる電流値の異常である電流値異常を判定し、少なくとも当該電流値異常と判定した信号回線の判定に関する詳細情報と前記電流値異常の警報表示を表示部に表示させる制御部を備え、
前記制御部は、前記表示部に、前記防災受信盤が前記信号回線を介して前記火災に関する所定の信号を受信した場合と、前記電流値異常と判定した場合とで異なる警報表示を行わせることを特徴とするトンネル防災システム。
【請求項２】
請求項１記載のトンネル防災システムに於いて、
前記制御部は、更に、前記電流値異常の発生が予測される状態を示す電流値異常の予兆を判定し、当該電流値異常の予兆と判定した信号回線の判定に関する詳細情報と前記電流値異常の予兆の警報表示を前記表示部に表示させ、
前記電流値異常の予兆と判定した場合に、前記表示部に、前記防災受信盤が前記火災に関する所定の信号を受信した場合、及び前記電流値異常と判定した場合とは異なる警報表示を行わせる
ことを特徴とするトンネル防災システム。
【請求項３】
請求項１又は２記載のトンネル防災システムに於いて、
前記制御部は、更に、前記信号回線の障害を検出し、前記信号回線の障害の警報表示を前記表示部に表示させ、
前記信号回線の障害を検出した場合に、前記表示部に、前記防災受信盤が前記火災に関する所定の信号を受信した場合、前記電流値異常と判定した場合、及び前記電流値異常の予兆と判定した場合とは異なる警報表示を行わせる
ことを特徴とするトンネル防災システム。
【発明の詳細な説明】
【技術分野】
【０００１】
本発明は、トンネル内に設置した通報装置や検知器等の端末機器を防災受信盤に接続してトンネル内の異常を監視するトンネル防災システムに関する。
【背景技術】
【０００２】
従来、自動車専用道路等のトンネルには、トンネル内で発生する火災事故から人身及び車両を守るため、非常用施設が設置されている。
【０００３】
このような非常用施設としては、火災の監視と通報のため火災検知器、手動通報装置、非常電話が設けられ、また火災の消火や延焼防止のために消火栓装置が設けられ、更にトンネル躯体やダクト内を火災から防護するために水噴霧ヘッドから消火用水を散水させる水噴霧などが設置され、これらの非常用施設の端末機器を監視制御する防災受信盤を設けることで、トンネル防災システムを構築している。
【０００４】
防災受信盤と端末機器で構成するトンネル防災システムは、Ｒ型伝送方式とＰ型直送方式に大別される。Ｒ型伝送方式は、伝送回線にアドレスを設定した火災検知器等の端末機器を接続し、伝送制御により端末機器単位に検知と制御を行う個別管理を可能とする。Ｐ型直送方式は、端末機器の種別に応じて所定の区画単位に分け、区画単位に引き出した信号回線に同一区画に属する複数の端末機器を接続し、信号回線単位に検知と制御を行う。
【０００５】
ところで、Ｐ型直送方式のトンネル防災システムにあっては、手動通報装置、消火栓起動装置、ダクト温度検知器等の端末機器は、操作又は検知による信号出力部を無電圧ａ接点スイッチとして構成し、防災受信盤から引き出された信号回線に無電圧ａ接点スイッチ接続している。無電圧ａ接点スイッチは通常監視状態でオフしており、操作や検知動作によりオンして無電圧接点信号を出力する。
【０００６】
具体的には、防災受信盤側から信号回線の一方にプルアップ抵抗を介して電源電圧を印加しており、無電圧ａ接点スイッチがオフした定常監視状態では、信号回線に消費電流は殆ど流れず、防災受信盤から見た信号回線間の電源電圧は略電源電圧に保たれている。無電圧ａ接点スイッチがオンすると信号回線に電流が流れ、防災受信盤から見た信号回線間の電圧は略零ボルトに低下し、防災受信盤は信号回線の消費電流の増加又は信号回線間の電圧低下を検出して端末機器の操作又は検知を示す受信信号を制御部に出力する。
【０００７】
例えば手動通報装置からの火災通報信号であれば、防災受信盤は、火災表示、端末側の応答ランプの点灯制御、手動通報区画表示、消火ポンプ起動信号の出力といった制御動作を行うと共に、遠方監視制御設備、テレビ監視設備、可変式道路情報板設備、トンネル換気設備、照明設備等の外部設備に火災通報信号を送信して所定の対処制御を行わせるようにしている。
【先行技術文献】
【特許文献】
【０００８】
【特許文献１】特開２００２−２４６９６２号公報
【特許文献２】特開平１１−１２８３８１号公報
【発明の概要】
【発明が解決しようとする課題】
【０００９】
このような従来のＰ型直送方式のトンネル防災システムにあっては、端末機器を接続している信号回線（外線ケーブル）の経年劣化等により絶縁低下が進み、端末機器を接続している信号回線に通常監視状態で想定される以上の電流が流れ、防災受信盤は端末機器の操作又は検知動作による信号受信と判断して警報動作を行うと共に、遠方監視制御設備、テレビ監視設備、可変式道路情報板設備、トンネル換気設備、照明設備等の他設備を連動し、トンネルを通行止めにすることが度々生じている。
【００１０】
この問題を解決するため、防災受信盤とは別の筐体に電流監視装置を設け、無電圧ａ接点スイッチを設けた端末機器を接続した信号回線に流れる電流を、例えば１日１回というように定周期で測定して記録し、更に、測定した電流が所定の閾値範囲を外れた場合に信号回線の電流値異常を判定して警報するようにしている。
【００１１】
ところで、防災受信盤で火災通報信号を受信して火災警報が出力された場合や、信号回線の障害が検出されて障害警報が出力された場合には、その後の調査作業の段階で、火災信号が受信された火災回線や障害が検出された障害回線について、電流監視装置で測定された測定履歴を表示させ、火災回線や障害回線がどのような状態にあったかを調べる場合がある。
【００１２】
しかしながら、従来は防災受信盤に対し電流監視装置を別の筐体に設けているため、防災受信盤から火災情報や障害情報等を電流測定装置に送って測定履歴と共に記憶させる伝送機能と処理機能が必要となり、設備構成と処理が複雑になる問題もある。
【００１３】
また、従来の防災受信盤にあっては、筐体前面に配置されたグラフィックパネルに、トンネル系統図を配置し、系統図の中に、手動通報装置及び消火栓起動装置に分けて回線表示灯を配列しており、手動通報装置から火災通報信号を受信して火災警報を出力した場合に、手動通報装置に対応した回線表示灯を点灯して火災発生区画を表示させており、また、消火栓起動装置からポンプ起動信号を受信した場合に、消火栓起動装置に対応した回線表示灯を点灯して消火栓が起動された区画を表示させている。
【００１４】
また、防災受信盤は信号回線による火災監視以外に信号回線の断線監視を行っており、筐体の前面パネルで断線障害の代表表示を行うようにしている。
【００１５】
しかしながら、断線障害が起きている信号回線を調べるには手間と時間がかかり、どの区画の信号回線にトラブルが起きているかを簡単に確認できない問題がある。
【００１６】
本発明は、防災受信盤に電流監視装置の機能を一体化して設備構成及び処理を簡略化すると共に、信号回線に対応して設けられている回線表示灯を利用して、火災以外に断線障害、電流値異常又は電流値異常が起きている信号回線を容易に把握して必要な対処を可能とするトンネル防災システムを提供することを目的とする。
【課題を解決するための手段】
【００１７】
（トンネル防災システム）
本発明は、
トンネル内に敷設した信号回線によって防災受信盤と接続され、当該信号回線を介して防災受信盤へ火災に関する所定の信号を出力する端末機器を備えたトンネル防災システムに於いて、
信号回線に流れる電流値の異常である電流値異常を判定し、少なくとも当該電流値異常と判定した信号回線の判定に関する詳細情報と電流値異常の警報表示を表示部に表示させる制御部を備え、
制御部は、表示部に、防災受信盤が信号回線を介して火災に関する所定の信号を受信した場合と、電流値異常と判定した場合とで異なる警報表示を行わせることを特徴とする。
【００１８】
（電流値異常の予兆判定）
制御部は、更に、電流値異常の発生が予測される状態を示す電流値異常の予兆を判定し、当該電流値異常の予兆と判定した信号回線の判定に関する詳細情報と電流値異常の予兆の警報表示を防災受信盤に表示させ、
電流値異常の予兆と判定した場合に、表示部に、防災受信盤が火災に関する所定の信号を受信した場合、及び電流値異常と判定した場合とは異なる警報表示を行わせる。
【００１９】
（信号回線の障害検出）
制御部は、更に、信号回線の障害を検出し、信号回線の障害の警報表示を表示部に表示させ、
信号回線の障害を検出した場合に、表示部に、防災受信盤が火災に関する所定の信号を受信した場合、電流値異常と判定した場合、及び電流値異常の予兆と判定した場合とは異なる警報表示を行わせる。
【発明の効果】
【００２０】
（基本的な効果）
本発明は、トンネル内に敷設した信号回線によって防災受信盤と接続され、当該信号回線を介して防災受信盤へ火災に関する所定の信号を出力する端末機器を備えたトンネル防災システムに於いて、信号回線に流れる電流値の異常である電流値異常の判定、電流値異常の発生が予測される状態を示す電流値異常の予兆の判定、信号回線の障害を検出する制御部と、防災受信盤が火災に関する所定の信号を受信した場合、電流値異常と判定した場合、電流値異常の予兆と判定した場合、信号回線の障害を検出した場合で異なる警報表示を行う表示部と、を備えたため、例えば、防災受信盤から火災警報、障害警報、電流値異常警報又は電流値異常の予兆警報が出された場合に、前面パネルに設けている複数の回線表示灯の中で作動している回線表示灯の表示状態を見ることで、どの区画の端末機器に対する信号回線で、火災に加え、断線障害、電流値異常又は電流値異常の予兆の何れが起きているかを容易に把握することができ、必要な対処を適切に行うことを可能とする。
【００２１】
また、防災受信盤と一体に電流監視部が設けられたため、電流監視装置を別筐体に設けていた場合に比べ、設備構成及び処理が簡単となり、設置スペースも低減できる。
【００２２】
（判定に関する詳細情報の表示の効果）
また、電流値異常又は電流値異常の予兆を判定した場合、当該判定された信号回線の判定に関する詳細情報を表示部に表示させるようにしたため、電流値異常や電流値異常の予兆が起きている信号回線の状況を詳細に知ることができる。
【図面の簡単な説明】
【００２３】
【図１】トンネル防災システムの概要を示した説明図
【図２】防災受信盤の外観を示した説明図
【図３】防災受信盤のパネル扉を開いてモニタ装置が見える状態を示した説明図
【図４】図２のグラフィックパネルを取り出して示した説明図
【図５】図２の表示パネルを取り出して示した説明図
【図６】トンネル防災システムの機能構成の概略を示したブロック図
【図７】予兆閾値範囲の設定による電流値異常の予兆判定を示したグラフ図
【図８】平均電流との差による電流値異常の予兆判定を示したグラフ図
【図９】前回測定の電流値との差による電流値異常の予兆判定を示したグラフ図
【図１０】警報種別に応じて点滅又は明滅の周波数を変える回線表示灯の動作状態を示したタイムチャート
【図１１】警報種別に応じて点滅又は明滅のパターンを変える回線表示灯の動作状態を示したタイムチャート
【図１２】定周期測定による測定履歴を表示したモニタ装置の測定記録画面を示した説明図
【図１３】絞込み条件の設定により抽出された測定履歴が表示されるモニタ装置の測定記録絞込み画面を示した説明図
【発明を実施するための形態】
【００２４】
［トンネル防災システムの概要］
図１はトンネル防災システムの概要を示した説明図である。図１に示すように、自動車専用道路のトンネルとして、上り線トンネル１ａと下り線トンネル１ｂが構築され、上り線トンネル１ａと下り線トンネル１ｂは避難連絡坑２でつながっている。
【００２５】
上り線トンネル１ａと下り線トンネル１ｂの内部には、トンネル長手方向の監視員通路の壁面に沿って例えば５０メートル間隔で消火栓装置１８が設置されている。
【００２６】
消火栓装置１８は消火栓扉内にノズル付きホースを収納しており、火災時には消火栓扉を開いてノズル付きホースを引き出し、消火栓弁開閉レバーを開操作すると消火用水が放水され、また、消火栓弁開閉検出スイッチ１４がオンして消火ポンプを起動させる。
【００２７】
また、消火栓装置１８には通報装置扉を設けており、通報装置扉には手動通報装置（発信機）１６が設けられている。このように消火栓装置１８には、消火栓弁開閉検出スイッチ１４、及び手動通報装置１６が端末機器として設けられており、それぞれ接点手段として機能する無電圧ａ接点スイッチのオンにより、消火栓起動信号及び火災通報信号が出力される。
【００２８】
なお、消火栓装置１８には消防隊が使用するポンプ起動スイッチが設けられているが、消火栓弁開閉検出スイッチ１４と同じポンプ起動信号を出力するシステム的には同一のスイッチであることから、以下、消火栓弁開閉検出スイッチ（ポンプ起動スイッチを含む）１４として説明する。また、手動通報装置１６は、消火栓装置１８以外に、非常電話ボックス内にも設置しているが、以下の説明では、消火栓装置１８に設けた手動通報装置を代表として説明する。
【００２９】
トンネル非常設備として、消火栓装置１８以外に、火災検知器、自動弁装置、ダクト内温度検知器等が設けられているが、図示を省略している。
【００３０】
火災検知器はトンネル長手方向の壁面に沿って例えば２５メートル又は５０メートル間隔で設置され、左右２５メートル又は５０メートルとなる両側に監視エリアを設定し、火災による炎を検出して火災発報する。
【００３１】
自動弁装置は水噴霧設備を構成しており、作動用電動弁の遠隔開制御により主弁を開駆動し、トンネル壁面の上部の長手方向に設置した複数の水噴霧ヘッドから消火用水を放水してトンネル躯体を火災から防護する。
【００３２】
ダクト内温度検知器は、トンネル長手方向の監視員通路の内部の配管やケーブルを敷設したダクトに配置されており、ケーブル火災等によるダクト内の温度上昇を検出し、接点手段として機能する無電圧ａ接点スイッチのオンにより温度検知信号を出力する。
【００３３】
上り線トンネル１ａ及び下り線トンネル１ｂの監視センター等には防災受信盤１０が設置されている。防災受信盤１０には、上り線トンネル１ａ及び下り線トンネル１ｂの防災監視機能に加え、端末機器を接続したＰ型の信号回線の電流を監視する電流監視機能が設けられている。
【００３４】
防災受信盤１０からは上り線トンネル１ａと下り線トンネル１ｂの内に、トンネル長手方向に分割した所定の区画毎にＰ型の信号回線１２−１１〜１２−１６，１２−２１〜１２−２６が引き出され、例えば４台の消火栓装置１８で１区画を形成し、区画単位に設けられた複数の消火栓弁開閉検出スイッチ１４及び手動通報装置１６が接続されている。
【００３５】
なお、ダクト内に設置されたダクト内温度検出器に対しても、同様にＰ型の信号回線が区画単位に引き出され、区画単位に設けられた複数のダクト内温度検知器が接続されているが、図示を省略している。また、信号回線１２−１１〜１２−２６は、区別する必要がない場合は、信号回線１２という場合がある。
【００３６】
Ｐ型の信号回線１２は信号線とコモン線で構成され、消火栓装置１８の消火栓弁開閉検出スイッチ１４、手動通報装置１６及びダクト内温度検知器の各々に設けた無電圧ａ接点スイッチを接続した場合は、それぞれの操作又は検知動作により無電圧ａ接点スイッチをオンして回線電流を流すことで、消火栓起動信号、火災通報信号、温度検知信号を防災受信盤１０に送るようにしている。
【００３７】
またトンネルの非常用施設としては、消火栓装置１８、火災検知器及び自動弁装置以外に、消火ポンプ設備２０、ダクト用の冷却ポンプ設備２２、ＩＧ子局設備２４、換気設備２８、警報表示板設備３０、ラジオ再放送設備３２、テレビ監視設備３４及び照明設備３６等が設けられており、ＩＧ子局設備２４をデータ伝送回線で接続する点を除き、それ以外の設備はＰ型信号回線により防災受信盤１０に個別に接続されている。ここで、ＩＧ子局設備２４は、防災受信盤１０と外部に設けた上位設備である遠方監視制御設備２６とをネットワーク２５を経由して結ぶ通信設備である。
【００３８】
換気設備２８は、トンネル内の天井側に設置しているジェットファンの運転による高い吹き出し風速によってトンネル内の空気にエネルギーを与えて、トンネル長手方向に空気の流れを起こす設備である。
【００３９】
また、警報表示板設備３０は、トンネル内の利用者に対して、トンネル内の異常を、電光表示板に表示して知らせる設備である。ラジオ再放送設備３２は、トンネル内で運転者等が道路管理者からの情報を受信できるようにするための設備である。テレビ監視設備３４は、火災の規模や位置を確認したり、水噴霧設備の作動、避難誘導を行う場合のトンネル内の状況を把握するための設備である。照明設備３６はトンネル内の照明機器を駆動して管理する設備である。
【００４０】
［防災受信盤］
図２は防災受信盤の外観を示した説明図であり、図２（Ａ）に正面を示し、図２（Ｂ）に側面を示す。図３は防災受信盤のパネル扉を開いてモニタ装置が見える状態を示した説明図である。
【００４１】
（前面パネルと筐体内のモニタ装置）
図２に示すように、防災受信盤１０は、前後に開放された箱形の筐体６１の前面に、ハンドル操作により開閉自在なパネル扉６２が設けられ、また、筐体６１の裏面にも、バンドル操作により開閉自在な裏扉６３が設けられている。
【００４２】
パネル扉６２の表側には、トンネル系統図に回線表示灯が配置されたグラフィックパネル４４、複数の代表灯が配列された表示パネル５０、及び各種の操作スイッチと電話機が配置された操作パネル５２からなる操作表示部６４が設けられる。
【００４３】
筐体６１の内部には、タッチパネル付きの液晶ディスプレイを用いたモニタ装置４６が配置されている。図３に示すように、防災受信盤１０のパネル扉６２を開くと、筐体６１内に支持枠６８に配置されているモニタ装置４６が現れ、モニタ装置４６の画面に信号回線の電流値測定結果や判定結果を含む電流値の測定履歴を表示させることができる。
【００４４】
（グラフィックパネル）
図４は図２のグラフィックパネルを取り出して示した説明図である。図４に示すように、グラフィックパネル４４の中央上部には火災代表灯１００が設けられ、その下のトンネル名に続いて、トンネル系統図として、上り線トンネル系統図１０２ａと下り線トンネル系統図１０２ｂが描かれている。
【００４５】
上り線トンネル系統図１０２ａは、消火栓配置部１０４、手動通報装置配置部１０６及び消火栓起動装置配置部１０８の３段に分けられている。消火栓配置部１０４には、トンネル長手方向に５０メートル間隔で配置された例えば消火栓装置を示す矩形のシンボルが配列されている。
【００４６】
手動通報装置配置部１０６は、Ｐ型の信号回線に対応して６区画に分けられており、各区画には「１〜６」の区画番号（回線番号に対応）が表記され、また、各区画に回線表示灯１１０が設けられている。消火栓起動装置配置部１０８も同様に、Ｐ型の信号回線に対応して６区画に分けられており、各区画には「１〜６」の区画番号が表記され、また、各区画に回線表示灯１１２が設けられている。なお、消火栓配置部１０４、手動通報装置配置部１０６及び消火栓起動装置配置部１０８は下り線トンネル系統図１０２ｂについても同様になる。
【００４７】
グラフィックパネル４４に設けられた回線表示灯１１０，１１２は、対応する信号回線の火災、断線障害、電流値異常、又は、電流値異常の予兆が判定された場合に、判定内容が分かるように、異なった表示状態で表示される。
【００４８】
（表示パネル）
図５は図２の表示パネルを取り出して示した説明図である。図５に示すように、表示パネル５０には、防災監視に必要な各種の表示灯が配列されており、防災受信盤１０に設けられた断線監視機能に対応して手動通報回線断線灯１２０と消火栓回線断線点灯１２４が設けられる。また、防災受信盤１０に設けられた電流監視機能に対応して、電流監視装置測定中灯１２４、電流監視装置故障灯１２６、手動通報電流値異常灯１２８、手動通報電流値異常予兆灯１３０、消火栓電流値異常灯１３２及び消火栓電流値異常予兆灯１３４が設けられる。これらの表示灯はそれぞれの事象が判定された場合に、所定の表示色により点灯又は点滅される。
【００４９】
［防災受信盤の構成］
図６はトンネル防災システムの機能構成の概略を示したブロック図である。図６に示すように、防災受信盤１０は制御部４０を備え、制御部４０は例えばプログラムの実行により実現される機能であり、ハードウェアとしてはＣＰＵ、メモリ、ＡＤ変換ポートを含む各種の入出力ポート等を備えたコンピュータ回路等を使用する。
【００５０】
制御部４０に対しては、トンネル内に設置した各種の端末機器をＰ型の信号回線１２により接続したＰ型伝送部４２が設けられ、また、制御部４０に対し、グラフィックパネル４４、モニタ装置４６、スピーカ、ブザー、警報表示灯等を備えた警報部４８、各種表示灯を備えた表示パネル５０、各種スイッチを備えた操作パネル５２を設け、更に、ＩＧ子局設備２４、換気設備２８、警報表示板設備３０、ラジオ再放送設備３２、テレビ監視設備３４、照明設備３６、消火ポンプ設備２０及び冷却ポンプ設備２２をＰ型の信号回線により個別に接続したＰ型伝送部５４が設けられている。
【００５１】
制御部４０にはプログラムの実行により実現される機能として、監視制御部５６、電流監視部５８及び警報表示制御部６０の機能が設けられている。
【００５２】
（監視制御部）
監視制御部５６はトンネル内に設置した消火栓装置１８に設けられた消火栓弁開閉検出スイッチ１４と手動通報装置１６、火災検知器、ダクト内温度検知器、及び自動弁装置等の端末機器からの検知信号や操作信号に基づき、所定の監視制御を行う。
【００５３】
また、監視制御部５６は、例えば消火栓装置１８に設けた手動通報装置１６の操作による火災通報信号（火災信号）を受信した場合、警報部４８により主音響鳴動を行うと共に図４に示したグラフィックパネル４４の火災代表灯１００を点滅して火災代表表示を行い、また、火災通報信号を受信した信号回線に対応した手動通報装置配置部１０６の回線表示灯１１０を点灯して手動通報区画表示を行い、また消火栓装置１８に応答信号を送信して応答ランプを点灯させる制御を行う。
【００５４】
また、監視制御部５６は、火災通報信号の受信に続いて、消火栓装置に設けられた消火栓弁開閉レバーの操作に伴う消火栓弁開閉検出スイッチ１４のオンによる消火栓起動信号を受信した場合、図４に示したグラフィックパネル４４の消火栓起動信号を受信した信号回線に対応した消火栓起動装置配置部１０８の回線表示灯１１２を点灯して消火栓起動区画表示を行う。
【００５５】
また、監視制御部５６は、消火栓装置１８に設けられた消火栓弁開閉レバーの開操作により消火栓弁開閉検出スイッチ１４のオンで出力された消火栓起動信号を受信した場合、消火ポンプ設備２０にポンプ起動信号を送信して起動させる制御を行う。
【００５６】
更に、監視制御部５６は、火災通報信号の受信に基づく他設備に対する制御として、ＩＧ子局設備２４を介して遠方監視制御設備２６に火災通報信号を送信して警報させる制御、テレビ監視設備３４により手動通報区画を表示する制御、警報表示板設備３０により手動通報区画の火災通報を表示する制御、換気設備２８により手動通報区画を換気する制御、照明設備３６により手動通報区画を照明する制御等を行う。
【００５７】
また、監視制御部５６は、ダクト内温度が上昇してダクト内温度検知器から温度検知信号を受信した場合、冷却ポンプ設備２２にポンプ起動信号を出力し、ダクト内に設置したヘッドから散水してダクト内を冷却する制御を行う。
【００５８】
また、監視制御部５６は、信号回線１２の断線障害を監視しており、手動通報装置１６に対する信号回線１２−２１〜１２−２６の断線障害を検出すると、警報部４８により障害音響鳴動を行うと共に図５に示した表示パネル５０の手動通報回線断線灯１２０を例えば黄色点灯し、また、消火栓弁開閉検出スイッチ１４に対する信号回線１２−１１〜１２−１６の断線障害を検出すると、警報部４８により障害音響鳴動を行うと共に図５に示した表示パネル５０の消火栓回線断線灯１２２を例えば黄色点灯する制御を行う。
【００５９】
監視制御部５６による信号回線１２の断線障害の監視は、信号回線１２の終端に終端抵抗を接続して断線監視電流を流しており、断線監視電流が断たれた場合に断線障害を検出する。
【００６０】
（電流監視部）
電流監視部５８は、消火栓弁開閉検出スイッチ１４及び手動通報装置１６を含む無電圧ａ接点スイッチを備えた端末機器を接続した信号回線１２の電流値を測定し、測定した電流値が所定の上限値と下限値で決まる閾値範囲を外れた場合に電流値異常を判定し、測定結果を測定履歴として着脱自在なメモリカードを用いたメモリに記憶する制御を行う。
【００６１】
電流監視部５８による信号回線１２の電流値の測定は、例えば、信号回線１２に挿入した電流検出抵抗の検出電圧をＡＤ変換して読み込み、ノイズの影響を除去するため、所定時間測定した電流値の平均値を求める。
【００６２】
ここで、電流監視部５８による電流値測定には、定周期測定、自動測定、手動測定がある。電流監視部５８の定周期測定は、所定周期毎、例えば１日１回の周期で全ての信号回線１２の電流値を順次測定し、測定した電流値が所定の閾値範囲を外れた場合に電流値異常を判定し、測定結果を測定履歴としてメモリに記憶させる制御を行う。
【００６３】
電流監視部５８による電流値の自動測定は、モニタ装置４６による自動測定操作を検出した場合に、全ての信号回線１２に流れる電流値を順次測定し、測定した電流値が所定の閾値範囲を外れた場合に電流値異常を判定し、測定結果をモニタ装置４６に画面表示させる制御を行う。
【００６４】
電流監視部５８による電流値の手動測定は、モニタ装置４６による信号回線の選択を含む手動測定操作を検出した場合に、選択された信号回線に流れる電流値を測定し、測定した電流値が所定の閾値範囲を外れた場合に電流値異常を判定し、測定結果をモニタ装置４６に画面表示させる制御を行う。
【００６５】
また、電流監視部５８は、モニタ装置４６による測定履歴表示操作を検出した場合、メモリに記憶されている電流値の測定履歴をモニタ装置４６に画面表示させる制御を行う。
【００６６】
電流監視部５８は、定周期測定、自動測定又は手動測定の測定中は、図５に示した表示パネル５０の中の電流監視装置測定中灯１２４を緑色点灯し、また、定周期測定、自動測定又は手動測定により電流値異常が判定された場合、図５に示した表示パネル５０の中の手動通報電流値異常灯１２８又は消火栓電流値異常灯１３２を黄色点灯させて代表表示させる制御を行う。
【００６７】
また、電流監視部５８は、モニタ装置４６による異常履歴表示操作を検出した場合、メモリに記憶されている電流値の測定履歴から電流値異常が判定されている測定履歴を抽出してモニタ装置４６に時系列的に画面表示させる制御を行う。
【００６８】
［電流監視部による電流値異常の予兆警報］
防災受信盤１０の制御部４０に設けられ電流監視部５８は、測定された電流値が電流値異常を判定する所定の閾値範囲内で所定の予兆閾値を超えた場合に、電流値異常の予兆を判定して予兆警報を出力させる制御を行う。
【００６９】
電流監視部５８による電流値異常の予兆警報は、グラフィックパネル４４の画面に電流値異常の予兆警報を代表表示させると共にモニタ装置４６の画面に電流値異常の予兆警報の詳細情報として、測定結果と共に上り線トンネルか下り線トンネルかを示す系統、予兆警報に対象となった消火栓や手動通報装置等の装置名を表示させる。
【００７０】
ここで、電流監視部５８による電流値異常の予兆判定は例えば
（１）予兆閾値範囲の設定による電流値異常の予兆判定、
（２）平均電流との差による電流値異常の予兆判定、
（３）前回測定の電流値との差による電流値異常の予兆判定、
があり、何れか１つ又は複数の組み合わせにより電流異常値の予兆を判定して予兆警報を出力させる。
【００７１】
（予兆閾値範囲の設定による電流値異常の予兆判定）
図７は予兆閾値範囲の設定による電流値異常の予兆判定を示したグラフ図である。図７は例えば現在日（１日）からそれ以前の１８日前までの定周期測定で得られた測定履歴の電流値の日変化を示している。このような電流値の測定履歴に対し、電流値異常を判定するための下限値Ｉｔｈ１と上限値Ｉｔｈ４が設定され、また、電流値異常を判定する閾値範囲Ｉｔｈ１〜Ｉｔｈ４の範囲内に、電流値異常の予兆を判定するための予兆下限値Ｉｔｈ２と予兆上限値Ｉｔｈ３が設定されている。
【００７２】
電流監視部５８は、図７に示すように、電流値異常を判定する閾値範囲Ｉｔｈ１〜Ｉｔｈ４内に、それより狭い予兆閾値範囲Ｉｔｈ２〜Ｉｔｈ３を設定し、測定された電流値Ｉｉが予兆閾値範囲Ｉｔｈ２〜Ｉｔｈ３を外れた場合、即ち、
Ｉｔｈ２≧Ｉｉ＞Ｉｔｈ１又はＩｔｈ４＞Ｉｉ≧Ｉｔｈ３
となった場合に、電流値異常の予兆を判定して予兆警報を出力させる制御を行う。
【００７３】
図７にあっては、現在日（１日目）の定周期測定により測定された電流値Ｉｉは予兆上限Ｉｔｈ３に達しており、このため電流監視部５８は測定された電流値について、電流値異常の予兆を判定して予兆警報を出力させる。
【００７４】
また、電流監視部５８は、定周期測定、自動測定又は手動測定において電流値異常の予兆が判定された場合、図５に示した表示パネル５０の中の手動通報電流値異常予兆灯１３０又は消火栓電流値異常予兆灯１３４を黄色点灯させて代表表示させる制御を行う。
【００７５】
（平均電流との差による電流値異常の予兆判定）
図８は平均電流との差による電流値異常の予兆判定を示したグラフ図である。図８に示すように、電流監視部５８は、測定履歴から過去の平均電流値Ｉａを求め、現在日（１日目）の定周期測定により測定された電流値Ｉｉが電流値異常を判定する閾値範囲Ｉｔｈ１〜Ｉｔｈ４の範囲内にあることを条件に、測定された電流値Ｉｉと平均電流値Ｉａとの差ΔＩが所定の予兆閾値ΔＩｔｈを超えた場合に、電流値異常の予兆を判定して予兆警報を出力させる制御を行う。
【００７６】
図８にあっては、現在日（１日目）の定周期測定により測定された電流値Ｉｉと平均電流値Ｉａとの差ΔＩが予兆閾値ΔＩｔｈ以上となっており、このため電流監視部５８は測定された電流値について、電流値異常の予兆を判定して予兆警報を出力させる。
【００７７】
（前回測定の電流値との差による電流値異常の予兆判定）
図９は前回測定の電流値との差による電流値異常の予兆判定を示したグラフ図である。図９に示すように、電流監視部５８は、現在日（１日目）の定周期測定により測定された電流値Ｉｉが電流値異常を判定する閾値範囲Ｉｔｈ１〜Ｉｔｈ４の範囲内にあることを条件に、前回測定された電流値Ｉｉ−１との差ΔＩが所定の予兆閾値ΔＩｔｈを超えた場合に、電流値異常の予兆を判定して予兆警報を出力させる制御を行う。ここで、電流監視部５８により求める今回測定された電流値Ｉｉと前回測定された電流値Ｉｉ−１との差ΔＩは、電流値の変化率を示しており、これは電流値の変化率が所定の閾値以上となった場合に電流値以上の予兆を判定して警報することを意味する。
【００７８】
（警報表示制御部）
図６の防災受信盤１０の制御部４０に設けられた警報表示制御部６０は、図４のグラフィックパネル４４に設けられた回線表示灯１１０，１１２を、監視制御部５６による火災警報と断線障害警報、及び電流監視部５８による電流値異常警報と電流値異常の予兆警報に応じて異なる表示状態で作動させる制御を行う。
【００７９】
警報表示制御部６０による回線表示灯の制御は、
（１）点滅又は明滅の周波数による警報識別表示
（２）表示色による警報識別表示、
（３）点滅又は明滅のパターンによる警報識別表示
の何れかとする。
【００８０】
（点滅又は明滅の周波数による警報識別表示）
図１０は警報種別に応じて点滅又は明滅の周波数を変える回線表示灯の動作状態を示したタイムチャートである。
【００８１】
図１０（Ａ）は火災警報に対する回線表示灯の作動であり、火災通報信号の受信に基づき、回線表示灯を常時点灯としている。
【００８２】
図１０（Ｂ）は断線障害警報に対応した回線表示灯の作動であり、１秒に１回となる１Ｈｚの周波数で点滅又は明滅させる。
【００８３】
図１０（Ｃ）は電流値異常警報に対応した回線表示灯の作動であり、１秒に２回となる２Ｈｚの周波数で点滅又は明滅させる。
【００８４】
図１０（Ｄ）は電流値異常の予兆警報に対応した回線表示灯の作動であり、１秒に３回となる３Ｈｚの周波数で点滅又は明滅させる。なお、点滅又は明滅の周波数は一例であり、必要に応じて適宜の識別可能に周波数の組み合わせとしても良い。
【００８５】
（表示色による識別表示）
警報表示制御部６０は、回線表示灯を、火災警報で赤色、障害警報で黄色、電流値異常警報で橙及び電流値異常の予兆警報で紫というように、警報の種別に応じて異なる表示色で作動させる制御を行う。なお、表示色の組み合わせは、これ以外に適宜に定めることができる。
【００８６】
（点滅又は明滅のパターンによる警報識別表示）
図１１は警報種別に応じて点滅又は明滅のパターンを変える回線表示灯の動作状態を示したタイムチャートである。
【００８７】
図１１（Ａ）は火災警報に対する回線表示灯の作動であり、回線表示灯を長点灯１回と短点灯３回のパターンを繰り返している。
【００８８】
図１１（Ｂ）は断線障害警報に対応した回線表示灯の作動であり、回線表示灯を点灯１回と短点灯１回のパターンを繰り返している。
【００８９】
図１１（Ｃ）は電流値異常警報に対応した回線表示灯の作動であり、回線表示灯を短点灯３回を休止期間を介して繰り返すパターンとしている。
【００９０】
図１１（Ｄ）は電流値異常の予兆警報に対応した回線表示灯の作動であり、回線表示灯を
短点灯１回と短点灯２回を休止期間を介して繰り返すパターンとしている。
【００９１】
なお、これらのパターンは一例であり、必要に応じて適宜の異なる点滅パターン又は明滅パターンの組み合わせとしても良い。
【００９２】
（モニタ装置による測定記録画面の表示）
図１２は定周期測定による測定履歴を表示したモニタ装置の測定記録画面を示した説明図であり、電流監視部５８により電流値異常の予兆が判定されて予兆警報が出力された場合を例にとって示している。
【００９３】
図１２に示すように、図５の表示パネル５０で例えば手動通報電流値異常灯１２８及び手動通報電流値異常予兆点灯１３０が黄色点灯して電流値異常及びその予兆警報の代表表示が行われた場合、図３に示したように、パネル扉６２を開いてモニタ装置４６のモニタ画面７０で所定の画面操作を行うと、定周期測定により測定して記憶された測定履歴の読み出しにより測定記録画面７２が表示される。
【００９４】
測定記録画面７２の右側には、ページ表示７３、ページ切替ボタン７４，７５、ファイル保存ボタン７６及びメモリ取出ボタン７７が配置される。
【００９５】
ページ切替ボタン７４，７５を操作することで測定履歴詳細情報７９のページ切替えを可能としている。ファイル保存ボタン７６は測定結果のメモリ格納を指示する。メモリ取出ボタン７７は防災受信盤１０から電流値測定情報を記憶したメモリを取り出す場合に操作する。
【００９６】
測定記録画面７２の画面中央に表示された測定履歴詳細情報７９は、前記（１）の予兆閾値範囲の設定による電流値異常の予兆判定を例にとっている。ここで、回線番号００２にあっては、測定値が０．７５ｍＡであり、予兆上限値０．７５ｍＡに達していることから、予兆判定には「ＮＧ」の表示により電流値異常の予兆が示されている。
【００９７】
また、回線番号００４にあっては、測定値が１．２５ｍＡであり、異常上限値１．００ｍＡを超えていることから、異常判定には「ＮＧ」の表示により電流値異常が示されている。この場合、測定値１．２５ｍＡは予兆上限値０．７５ｍＡも超えていることから、当然に、予兆判定には「ＮＧ」の表示により予兆が示されている。
【００９８】
測定記録画面７２の下側には、回線選択ボタン７８が配置され、回線選択ボタン７８を操作すると、図１３に示す測定記録絞込み画面８０の表示に切り替えられる。
【００９９】
図１３の測定記録絞込み画面８０には、系統選択部８１、装置選択部８２、区画選択部８３、確定ボタン８４、解除ボタン８５、ページ表示８６、ページ切替ボタン８７，８８、及び閉鎖ボタン８９が設けられている。
【０１００】
系統選択部８１は上り線と下り線から選択する。装置選択部８２は、手動通報、消火栓、ダクトから選択する。区画選択部８３は区画番号を入力する。
【０１０１】
測定記録絞込み画面８０において、例えば「上り線の手動通報装置における区画０１」の測定記録に絞込みたい場合には、図示のように、系統選択部８１に「上り線」、装置選択部８２に「手動通報」、区画選択部８３に「０１」を設定し、確定ボタン８４を操作すると、対応する絞込み測定記録９０が表示される。
【０１０２】
この状態で解除ボタン８５を操作すると、絞込み条件及び絞込み測定記録９０がクリアされる。また、閉鎖ボタン８９を操作すると、図１２の測定記録画面７２に戻る。
【０１０３】
このような測定記録絞込み画面８０の機能を利用することで、記憶されている膨大な測定記録の中から、系統、装置、区画の組み合わせた絞込み条件の設定により測定記録を絞り込んで表示させることができ、例えば、電流値異常を起こした適宜の装置の回線劣化状況等の判断を効率良く行うことを可能とする。
【０１０４】
なお、測定記録の絞込み条件としては、系統、装置、区画に加え、期間を選択できるようにしても良い。
【０１０５】
［本発明の変形例］
上記の実施形態では、火災警報、障害警報、電流値異常警報、電流値異常の予兆警報を行っているが、その内の少なくともいずれか三つを識別できればよい。
【０１０６】
また、本発明は、その目的と利点を損なわない適宜の変形を含み、更に上記の実施形態に示した数値による限定は受けない。
【符号の説明】
【０１０７】
１ａ：上り線トンネル
１ｂ：下り線トンネル
１０：防災受信盤
１２，１２−１１〜１２−１６，１２−２１〜１２−２６：信号回線
１４：消火栓弁開閉検出スイッチ
１６：手動通報装置
１８：消火栓装置
２０：消火ポンプ設備
２２：冷却ポンプ設備
２４：ＩＧ子局設備
２６：遠方監視制御設備
２８：換気設備
３０：警報表示板設備
３２：ラジオ再放送設備
３４：テレビ監視設備
３６：照明設備
４０：制御部
４２，５４：Ｐ型伝送部
４４：グラフィックパネル
４６：モニタ装置
４８：警報部
５０：表示パネル
５２：操作パネル
５６：監視制御部
５８：電流監視部
６０：警報表示制御部
６１：筐体
６２：パネル扉
７０：モニタ画面
７２：測定記録画面
８０：測定記録絞込み画面
１００：火災代表灯
１０２ａ：上り線トンネル系統図
１０２ｂ：下り線トンネル系統図
１０４：消火栓配置部
１０６：手動通報装置配置部
１０８：消火栓起動装置配置部
１１０，１１２：回線表示灯
１２０：手動通報回線断線灯
１２２：消火栓回線断線灯
１２４：電流監視装置測定中灯
１２６：電流監視装置故障灯
１２８：手動通報電流値異常灯
１３０：手動通報電流値異常予兆灯
１３２：消火栓電流値異常灯
１３４：消火栓電流値異常予兆灯
【図１】
2020161151.tif 000003
【図２】
2020161151.tif 000004
【図３】
2020161151.tif 000005
【図４】
2020161151.tif 000006
【図５】
2020161151.tif 000007
【図６】
2020161151.tif 000008
【図７】
2020161151.tif 000009
【図８】
2020161151.tif 000010
【図９】
2020161151.tif 000011
【図１０】
2020161151.tif 000012
【図１１】
2020161151.tif 000013
【図１２】
2020161151.tif 000014
【図１３】
2020161151.tif 000015